(57)【特許請求の範囲】
【請求項１】
ステージＦからガス槽３の入口１を介して入り込んだ小動物Ｐを保定し、かつ、索条部材４を介してガス槽３内を移動する麻酔装置の動物保定器に於いて、外側フレーム構造部材Ａと、この外側フレーム構造部材内に軸支された内側フレーム構造部材Ｂとから構成され、前記外側フレーム構造部材Ａの後方端面板１１の下部に軸架された横軸２２を介して、小動物用押え板２３を上部側２４からステージＦの上面方向へ回転可能に軸支し、この押え板２３は、空っぽの動物保定器が小動物Ｐのセッテイング位置に来た時、前記ステージＦに設けられた横方向シリンダの作動杆の伸張により垂直状態から水平方向へと回転し、また押え板２３は、ガス槽３内に配設された縦方向シリンダ８の作動杆９が伸張することにより、作動杆９の受板１０に水平状態に支持されることを特徴とする麻酔装置の動物保定器。
【請求項２】
請求項１に於いて、押え板２３は、垂直状態になった場合には、横軸２２を基準とする上部側２４が後方端面板１１の開口部１３の下部を塞ぐように所要量突出することを特徴とする麻酔装置の動物保定器。
【請求項３】
請求項１に於いて、押え板２３が水平状態になると、押え板２３の上部側２４はステージＦの上面に支持されることを特徴とする麻酔装置の動物保定器。
【請求項４】
請求項１に於いて、作動杆９の受板１０は、内側フレーム構造部材Ｂを構成する左右の保定側板３６，３７の下部縁部に嵌合することを特徴とする麻酔装置の動物保定器。
【請求項５】
請求項１に於いて、作動杆９の受板１０Ｂは、内側フレーム構造部材Ｂを構成する左右の保定側板３６Ｂ，３７Ｂの下部に当接状態に対向することを特徴とする麻酔装置の動物保定器。
【発明の詳細な説明】
【０００１】
【発明の属する技術分野】
本発明は小動物、たとえば豚を屠殺する場合に使用される小動物用麻酔装置の動物保定器に関する。
【０００２】
【従来の技術】
麻酔対象の小動物は、追込み通路に繋がっているステージからガス槽の入口を介して動物保定器に入り込み、炭酸ガスで適宜に麻酔された後に、ガス槽の出口から受取りテーブルへと出される。小動物用麻酔装置は、ガス槽内を、索条部材を介して移動する複数個の動物保定器を備えている。各動物保定器は、麻酔後の小動物を受取りテーブルへと滑り落とした後は、再びガス槽の入口へと移動し、そこで一時停止し、次の小動物を受け入れる。
【０００３】
したがって、この種の動物保定器は、ガス槽の入口と対向する側の端面板に、小動物収納用開口部を有している。この小動物収納用開口部は、例えば屠殺対象の豚が入り込むのに十分な間口であることを必要とするので、比較的に大きい。
【０００４】
そのために、麻酔対象の小動物が、ガス槽の入口から動物保定器に入り込んだ場合後に、麻酔時、もがき、暴れるため、小動物のお尻が後方端面板の収納用開口部から食み出るような格好になる。このような場合は、小動物が所望の保定位置からズレてしまうので、小動物の尻部が索条部材に絡まったりし、或いは小動物の尻部が索条部材などに切り取られる事態が発生する。その結果、尻部が切断、裂傷、打ち身による損傷を受けるという問題があった。加えて、小動物が動物保定器内で著しく暴れると、開口部から落下するという事態も発生し、そのため麻酔装置の運転を停止せざるを得ないという問題点もあった。
【０００５】
【発明が解決しようとする課題】
本発明は以上のような従来の欠点に鑑み、第１の目的は、小動物の尻部が索条部材によって損傷を受けること、小動物が落下して運転停止の事態が発生することなどの不具合が発生することを防止することである。第２の目的は、小動物がステージからガス槽の入口を介して動物保定器に入り込む際に、押え板或いはバック止め板を、渡り板として活用することができ、その結果、通路ランウエイの役割も持たせることができることである。第３の目的は、合理的な構成を採用することにより、組立を容易に行うことができることである。
【０００６】
【課題を解決するための手段】
本発明の麻酔装置の動物保定器は、ステージＦからガス槽３の入口１を介して入り込んだ小動物Ｐを保定し、かつ、索条部材４を介してガス槽３内を移動する麻酔装置の動物保定器に於いて、外側フレーム構造部材Ａと、この外側フレーム構造部材内に軸支された内側フレーム構造部材Ｂとから構成され、前記外側フレーム構造部材Ａの後方端面板１１の下部に軸架された横軸２２を介して、小動物用押え板２３を上部側２４からステージＦの上面方向へ回転可能に軸支し、この押え板２３は、空っぽの動物保定器が小動物Ｐのセッテイング位置に来た時、前記ステージＦに設けられた横方向シリンダの作動杆の伸張により垂直状態から水平方向へと回転し、また押え板２３は、ガス槽３内に配設された縦方向シリンダ８の作動杆９が伸張することにより、作動杆９の受板１０に水平状態に支持されることを特徴とする。
【０００７】
上記構成に於いて、作動杆９の受板１０は、内側フレーム構造部材Ｂを構成する左右の保定側板３６，３７の下部縁部に嵌合することを特徴とする。また作動杆９の受板１０Ｂは、内側フレーム構造部材Ｂを構成する左右の保定側板３６Ｂ，３７Ｂの下部に当接状態に対向することを特徴とする。
【０００８】
【発明の実施の形態】
図１ないし図１３を参照に第１実施例を説明する。まず、図１及び図２を参照に全体の環境について簡単に説明する。Ｘは小動物、例えば豚を二酸化炭素で麻酔する麻酔装置である。この麻酔装置Ｘは、小動物Ｐの入口１および出口２とが形成されたガス槽３と、このガス槽３に設けられた図示しない駆動源と、この駆動源によりガス槽内で回転する索状部材４と、この索状部材４を案内する複数個の回転部材５と、前記索状部材４に所定間隔で取付けられた複数個の動物保定器Ｙと、ガス槽内の適宜箇所に設けられた動物保定器Ｙ用ガイド部材とを備えている。
【０００９】
また、ガス槽３内の入口１付近には、追込通路側のステージＦから前記入口１を介して一時停止中の動物保定器Ｙに入り込んだ小動物Ｐを一旦支持する支持装置６が配設されている。
【００１０】
この支持装置６は、図３で示すように、ガス槽３内に適宜に固設された支持台７の上面に垂直方向に設けられた縦方向シリンダ８と、この縦方向シリンダ８の作動杆９の突出上端部に水平状態に固定され、かつ、前記動物保定器Ｙに入り込んだ小動物Ｐの脚を受ける昇降式受板１０とから成る。
【００１１】
なお、縦方向シリンダ８は、本実施例では垂直シリンダを用い、受板１０は昇降動するが、設計如何によっては、縦方向シリンダ８を支持台７の上面に傾倒状態に設け、作動杆９の上端部を受板１０の一端部に枢着し、受板１０の他端部を支点として該受板を所要量回動するよう構成しても良い。
【００１２】
次に図３ないし図７は本発明の主要部である動物保定器Ｙの一実施例を示す。この動物保定器Ｙはガス槽３の入口１から該ガス槽内に入って来る小動物Ｐを固定的に保持する構造であり、前後の索条部材４に運搬される外側フレーム構造部材Ａと、この外側フレーム構造部材内に上方から外方向へと回転可能に設けられた内側フレーム構造部材Ｂとから構成されている。
【００１３】
そこで、まず外側フレーム構造部材Ａから説明する。１１、１２は所定間隔を有して対向する前後の端面板である。これらの端面板の内、符号１１は、図３を基準とした場合右側が小動物Ｐの入口１側に対面する後方端面板であり、図４で示すようにＯ字型状の開口部１３を有している。この開口部１３は、動物保定器Ｙがセッテイング位置で一時停止した時にガス槽３の入口１と対向する。
【００１４】
一方、左側は前方端面板１２である。この前方端面板１２は、本実施例では盲状で開口部を有しないが、後方端面板１１と同様に開口部を形成し、小動物Ｐを止める柵を設けることもできる。「ここで後方端面板１１」とは、動物保定器Ｙ内に小動物Ｐが入った場合、そのお尻側に位置する垂直フレームを意味する。したがって、前方端面板１２には小動物Ｐの頭が来る。
【００１５】
１４は図４を基準とした場合、各端面板１１、１２の左側中央部に形成された前後一対の切欠部である。これらの切欠部１１には、後述する内側フレーム構造部材Ｂの係合手段３３の端部が係合する。１６は前後の端面板１１、１２の上方中央部を貫通する中心軸である。この中心軸１６の突出両端部に前述した索条部材４がそれぞれ取付けられる。
１７は前後の端面板１１、１２を固定的に連結する複数本の連結棒である。これらの連結棒１７は上方に柵状に横架されている。１８は前後の端面板１１、１２の一方側の下部に横設軸架された下方枢支軸である。この下方枢支軸１８は、図４で示すように内側フレーム構造部材Ｂの対向フレームの一方側下端部を貫通している。
【００１６】
ここで、図４及び図５を参照にして主要部について説明する。２１は後方端面板１１の外壁面の下部に突設された左右一対の支板で、これらの支板２１，２１には横軸２２が軸架されている。
【００１７】
２３は横軸２２を介して後方端面板１１の外壁面の下部に回転可能に設けられた小動物用押え板或いはバック止め板である。この押え板２３は、本実施例では長板状に形成され、該押え板２３が垂直状態になった場合には、横軸２２を基準とする上部側２４は、後方端面板１１の開口部１３の下部を塞ぐように所要量突出する。
一方、２５は押え板の下部側で、この下部側２５は、後方端面板１１の下部中央部に形成した押え板用逃し切欠部２６と対向している。
【００１８】
したがって、押え板２３は、後方端面板１１に支板２１，２１を介して垂直状態に添設され、かつ、上部側２４から外方向へと回転可能に軸支されている。なお、押え板２３は、本実施例では横軸２２を介して後方端面板１１に設けられているが、設計如何によっては、横軸に代え、例えば押え板２３の左右側壁に支板２１，２１と係合する突起軸を設けても良い。また押え板２３の下部側２５には錘板２７を固定してある。
【００１９】
次に内側フレーム構造部材Ｂについて説明する。この内側フレーム構造部材Ｂは、動物保定器Ｙに入り込んだ小動物Ｐを直接保持する動物保持体としての機能を有する。
【００２０】
３１、３２は前述した端面板１１、１２の内壁と対向する前後のフレーム板である。外側フレーム構造部材Ａの端面板１１、１２に対応して言えば、符号３１は後方フレーム板であり、一方、３２は前方フレーム板である。これらのフレーム板３１，３２は、端面板１１、１２よりも高さ寸法が短く設定されており、一方側の上端部はやや先細り状となっている。
【００２１】
しかして、３３は前記先細り状の上端部に横設され、かつ、突出両端部３３ａ，３３ａが前述した係合切欠部１４，１４に係脱する係合棒である。この係合棒３３は、ガス槽３の出口２付近に設けらたれガイド手段あるいは被係合手段と係脱可能である。
３４は後方フレーム板３１に形成されたやや大きなＵ字型状の入口切欠部で、この入口切欠部３４は、後方端面板１１の開口部１３と連通状態に対向する。また３５は第２のバック止め板用逃し切欠部で、この逃し切欠部３５は後方端面板１１の第１逃し切欠部２６と連通状態に対向する。
【００２２】
３６、３７はフレーム板３１，３２の内壁面に直交するような固定され、かつ、下方に小動物Ｐの足が入り込む下方間隙３８を有する左右で１組の保定側板である。左右の保定側板３６，３７は小動物Ｐの胴体の下側を挟持することができるようにそれぞれ弧状に形成されている。また左側の保定側板３６の上端部は、係合棒３３を基準にして傾斜状の案内部となっている。
【００２３】
なお、前記係合手段３３の突出両端部には、摺動ローラ３９が設けられている。また、フレーム板３１，３２の一方側の下部には、下方枢支軸１８用の貫通孔４０が形成されている。
【００２４】
次に図３を参照にその他の構成部材について説明する。ガス槽３の入口１には小動物（例えば豚）Ｐを動物保定器Ｙに入れるためのステージＦがある。このステージＦは図示しない追込み用の通路につながっている。
【００２５】
しかして、ガス槽３の入口１を基準とするステージＦの先端部には若干小さな凹所４５が形成され、この凹所４５内には横シリンダ４６が据え付けられている。この横シリンダ４６は、ガス槽３の入口１まで間欠的に循環して来た一時停止中の動物保定器Ｙの押え板２３を水平方向へと傾倒させるために設けられている。
【００２６】
したがって、図示しないリミットスイッチの信号により横シリンダ４６の作動杆４７が伸張すると、押え板２３は、その下端側２５がガス槽３の内部方向へと押されるために水平方向に回転可能である。なお、横シリンダ４６は埋め込み式でも良いが、本実施例では、凹所４５内に据え付けているので、小蓋板４８で凹所４５を覆っている。
【００２７】
上記構成に於いて、駆動モータが駆動すると、索条部材４が図１で示す矢印方向に移動する。これにより動物保定器Ｙは、ガス槽３内に於いて小動物を保持しながら間欠的に循環移動する。動物保定器Ｙはガス槽３内を移動中、係合手段３３と係合片（図示しない）とが係合し、或いは係合手段３３がガス槽３内に配設されたガイドレール等にスライドする。
【００２８】
また麻酔対象の小動物Ｐは、ステージＦからガス槽３の入口１を介して動物保定器Ｙに入り込み、適宜に麻酔された後にガス槽３の出口２から受取りテーブルＴへと出される。また動物保定器Ｙはガス槽３の出口２に於いて、内側フレーム構造部材Ｂが上方から回転すると、当該小動物Ｐは受取りテーブルＴへと滑り落ちて行く。したがって、動物保定器Ｙは、その後ガス槽３の入口１にて当該動物保定器Ｙに小動物Ｐが入り込むまでは空っぽの状態である。
【００２９】
そこで、本発明の主要部の作用について説明する。図３は「空っぽ」の動物保定器Ｙが、ガス槽３の入口１付近へと移動し、一時停止する前の一例を示した説明図である。この時縦方向シリンダ８の作動杆９並びに横方向シリンダ４６の作動杆４７は、それぞれ収縮している。したがって、受板１０は動物保定器Ｙの左右の保定側板３６，３７から離れ、また動物保定器Ｙの押え板２３は、錘板２７により垂直状態である。
【００３０】
図８は動物保定器Ｙがガス槽３の入口１で一時停止した時の一例を示す説明図である。この時、まず横シリンダ４６が駆動し、その作動杆４７が伸長する。したがって、動物保定器Ｙの押え板２３は、作動杆４７に下部側２５が押されるので横軸２２を支点に回転し、傾倒状態になる。
【００３１】
次に押え板２３が傾倒状態の間に縦方向シリンダ８の作動杆９が伸長する。そうすると、この第１実施例では、作動杆８の受板１０が左右の保定側板３６，３７の間隙３８に嵌合的に入り込むが、この時、受板１０が間隙３８内を上昇するにしたがって、押え板２３はさらに水平方向へと回転する。それは押え板２３の下部側２５が受板１０の一端部によって持上げられるからである。
【００３２】
このようにして押え板２３が水平状態になると、横方向シリンダ４６の作動杆４７は、収縮し始める。これに反し、縦方向シリンダ８の作動杆９は伸長状態のままである（図９）。
【００３３】
図９で示すように押え板２３が水平状態になると、押え板２３の上部側２４はステージＦの上面に支持される。したがって、押え板２３は小動物Ｐに対する渡り板として通路ランウエイの役割を果たすことになる。
【００３４】
図１０はステージＦにいた小動物Ｐが押え板２３を渡って動物保定器Ｙ内に入り込んだ一例を示す説明図である。小動物Ｐは動物保定器Ｙ内に入り込むと、受板１０上で支持されるが、図１１で示すように左右の保定側板３６，３７にまだ保定されていない。したがって、この状態では小動物Ｐは動物保定器Ｙ内で自由に動くことができる。
【００３５】
図１２及び図１３は縦方向シリンダ８の作動杆９が収縮した場合の説明図である。作動杆９が収縮すると、受板１０が下降すると同時に押え板２３が垂直方向へと回転し始める。小動物Ｐはその重みで当然下降するが、下降すると、左右の保定側板３６，３７で支持される。この時小動物Ｐの尻部が図１３に示すように横軸２２の近くまで下がるので、お尻側が押え板２３の上部側２４に、一方、後脚側が押え板２３の下部側２５に規制される。
【００３６】
なお、上記各シリンダ４６，８の作動杆４７，９の伸長時期、収縮時期等は、図示しない複数個のリミットスイッチの検知信号、検知信号を処理する制御手段によってなされる。
【００３７】
【実施例】
動物保定器Ｙの左右保定側板３６，３７の弧状下部と縦方向シリンダ８の受板１０との嵌合関係について補足説明をする。図１０及び図１１で示すように、第１実施例では、小動物のセッテイングの際に、受板１０が左右保定側板３６，３７の下端縁から離れるように入り込むが、これは説明の便宜上、強調して図示しているに過ぎない。
【００３８】
したがって、嵌合型であれば、左右保定側板３６，３７の弧状下部の間隙３８に縦方向シリンダ８の受板１０が入り込んだ際に、受板１０の左右の側壁が、左右保定側板３６，３７の弧状下部の下端縁に接合状態に嵌合する実施例も第１実施例の延長線上の考え方と同一である。
【００３９】
次に、この欄では動物保定器Ｙの他の実施例について説明する。なお、他の実施例の説明にあたって、第１実施例と同一又は同様（機能が同一）の部分には、同一又は同様の符号を付し、重複する説明を省略する。
【００４０】
図１４及び図１５に示す第２実施例の動物保定器Ｙ１に於いて、第１実施例と主に異なる点は、（ａ）小動物用押え板２３Ａの形状である。この小動物用押え板２３Ａの上部側２４Ａは、渡り板としての機能を十分に果たすことができるように、下部側２５Ａよりも幅広に形成されている。しかも、上部側２４Ａの両端部は、後方端面板１１Ａの外壁面と当接可能である。（ｂ）また後方端面板１１Ａの下端部に形成した逃し用切欠部２６Ａは、小動物の間口用開口部１３Ａと連通するように切欠されている。（ｃ）したがって、動物保定器Ｙ１に収納された小動物が、多少落ち込んで左右の保定側板３６，３７に保定された際に、小動物の尻部の位置が押え板２３Ａの上部側２４Ａにカバーされ、かつ、押え板２３Ａがその上部側２４Ａから内側方向へと回転しょうとしても、押え板２３Ａの上部側２４Ａの左右両端部が後方端面板１１Ａの外壁面と当接するので、保定中の小動物が脚を動かして「もがいても」、十分にバック止め機能を果たすことができる。
【００４１】
なお、図１６及び図１７は、動物保定器Ｙそれ自体の構成を設計変更したものではないが、横方向シリンダ４６の作動杆４７の先端部に摺動ローラ４９を枢支したものである。このように構成すると、押え板２３は、横軸２２を支点にスムースに回転すると共に、作動杆４７との摩擦抵抗を減らすことができる。
【００４２】
次に図１８乃至図２４に示す第３実施例の動物保定器Ｙ２に於いて、第１実施例と主に異なる点は、（ａ）外側フレーム構成部材Ａの後方端面板１１Ｂに設けた横軸２２Ｂが、後方端面板１１Ｂの下端縁に横設軸架されていること、（ｂ）外側フレーム構成部材Ａの後方端面板１１Ｂと、内側フレーム構成部材Ｂの後方フレーム板３１Ｂの長さ寸法をそれぞれ短くしたこと、（ｃ）後方端面板１１Ｂに対向する前方端面板１２Ｂ、後方フレーム板３１Ｂに対向する前方フレーム板３２Ｂは、それぞれ小型化していること、（ｄ）下方枢支軸１８Ｂの位置が、例えば横軸２２Ｂよりも上位の位置に設けられていること、（ｅ）押え板２３Ｂが横軸２２Ｂを基準に回転した時、通路ランウエイの役割を十分に果たすことができるように、その上部側２４Ｂが少なくとも幅広で、かつ、やや長く形成されていること、（ｆ）縦方向シリンダ８の受板１０Ｂが動物保定器Ｙ２の下端面、少なくとも左右の保定側板３６Ｂ，３７Ｂの下端縁に押え板２３Ｂを介して間接的に又は下端面に直接的に当接状態になるように幅広に形成されていることである。
【００４３】
上記のように構成すると、小動物のセッテイングの際は、図２２で示すように、縦方向シリンダ８の受板１０Ｂは、動物保定器Ｙ２の下端面に直接的或いは間接的に当接する。その時、横軸２２Ｂに枢着されている押え板２３Ｂは、略９０度回転し、ステージＦの上面に当って水平状態となるので、第１実施例と同一の目的を達成することができる。
【００４４】
【発明の効果】
以上の説明から明らかなように、本発明にあっては、次に列挙するような効果がある。
（１）後方端面板に小動物用押え板を回転可能に添設したので、小動物の尻部が索条部材に絡まったりし、或いは小動物の尻部そのものが索条部材などによって損傷を受けない。また、発明の課題で述べたように、小動物の落下によって、運転を停止しなければならないという事態も防止することができる。
（２）小動物をセッテイングする際に、押え板は横軸を基準としてステージＦの上面まで回転する。したがって、小動物がステージからガス槽の入口を介して動物保定器に入り込む際に、押え板を渡り板として活用することができるから、「通路ランウエイ」の役割を果たす。それ故に、小動物は動物保定器へとスムースに誘導される。
（３）小動物用バック止め板を上部側からステージの上面方向へ回転可能に後方端面板の外壁面に支板を介して軸支したので、組立を容易に行うことができる。
（４）小動物を確実に保定しながら麻酔運搬することができる。
【図面の簡単な説明】
図１乃至図１３は本発明の第１実施例を示す各説明図。図１４及び図１５は、動物保定器の第２実施例を示す各説明図。図１６及び図１７は、動物保定器に関係する横方向シリンダに他の構成を加味した実施例の各説明図である。図１８乃至図２４は、本発明の第３実施例を示す各説明図である。
【図１】発明の実施形態の一例を示す概略説明図。
【図２】ガス槽の入口と動物保定器の開口部との関係を示す説明図。
【図３】動物保定器が空っぽの状態でガス槽の入口付近に近づいてきた時の説明図。
【図４】主要部の斜視図。
【図５】動物保定器の分解斜視図。
【図６】動物保定器の右側面図。
【図７】図６の７−７線概略断面図。
【図８】各シリンダの作動杆が伸長した時の説明図。
【図９】動物保定器のセッテイング状態が完了した時の説明図。
【図１０】動物保定器の中に小動物が入り込んだ時の説明図。
【図１１】図１０に於いて、動物保定器と小動物の関係を示す説明図。
【図１２】縦方向シリンダの作動杆が収縮し、小動物が保定された一例を示す説明図。
【図１３】図１２に於いて、動物保定器に小動物が保定された状態の説明図。
【図１４】動物保定器の第２実施例を示す分解斜視図。
【図１５】動物保定器の右側面図。
【図１６】横方向シリンダに他の構成を加味した実施例の説明図。
【図１７】図１６に於いて、左側面方向から見た概略説明図。
【図１８】第３実施例の主要部の斜視図。
【図１９】動物保定器の第３実施例を示す分解斜視図。
【図２０】動物保定器の右側面図。
【図２１】要部の概略断面図。
【図２２】動物保定器のセッテイング状態が完了した時の説明図。
【図２３】セッテイングの際に動物保定器と小動物の関係を示す説明図。
【図２４】図２３に於いて、動物保定器に小動物が保定された状態を示す説明図。
【符号の説明】
Ｘ…麻酔装置、Ｐ…小動物、１…入口、２…出口、３…ガス槽、５…回転部材、６…支持装置、７…支持台、８…縦方向シリンダ、９…作動杆、１０…受板、Ｙ，Ｙ１，Ｙ２…動物保定器、Ａ…外側フレーム構成部材、Ｂ…内側フレーム構成部材、１１，１１Ｂ…後方端面板、１２，１２Ｂ…前方端面板、１３，１３Ａ…開口部、１４…係合切欠部、１６…中心軸、１７…連結棒、１８，１８Ｂ…下方枢支軸、２１…支板、２２，２２Ｂ…横軸、２３，２３Ａ，２３Ｂ…押え板、２４，２４Ａ，２４Ｂ…上部側、２５，２５Ａ…下部側、２６，２６Ａ…逃し切欠部、２７…錘板、３１，３１Ｂ…後方フレーム板、３２，３２Ｂ…前方フレーム板、３３…係合棒、３４…切欠部、３５…第２の逃し切欠部、３６，３６Ｂ…左側の保定側板、３７，３７Ｂ…右側の保定側板、３８…下方間隙、Ｆ…ステージ、４５…凹所、４６…横方向シリンダ、４７…作動杆。
【図１】
0003768837.tif 000002
【図２】
0003768837.tif 000003
【図３】
0003768837.tif 000004
【図４】
0003768837.tif 000005
【図５】
0003768837.tif 000006
【図６】
0003768837.tif 000007
【図７】
0003768837.tif 000008
【図８】
0003768837.tif 000009
【図９】
0003768837.tif 000010
【図１０】
0003768837.tif 000011
【図１１】
0003768837.tif 000012
【図１２】
0003768837.tif 000013
【図１３】
0003768837.tif 000014
【図１４】
0003768837.tif 000015
【図１５】
0003768837.tif 000016
【図１６】
0003768837.tif 000017
【図１７】
0003768837.tif 000018
【図１８】
0003768837.tif 000019
【図１９】
0003768837.tif 000020
【図２０】
0003768837.tif 000021
【図２１】
0003768837.tif 000022
【図２２】
0003768837.tif 000023
【図２３】
0003768837.tif 000024
【図２４】
0003768837.tif 000025